(57)【要約】【課題】本発明は、撮影テーブルのための取付台に関する。【解決手段】テーブル上のパッド（１３０）の上に横たわっている患者（Ｐ）を妨げることなく、取付台（５０）はテーブル（２０）に沿って動かされるようになっている。取付台は、テーブル（２０）の下方を通る横断部材（９０）によって結合されたリップ（５２及び７２）を含む。【選択図】図１
2004510532.tif 000002
【特許請求の範囲】
【請求項１】
上面と下面と第１縁部と第２縁部とを含む医用テーブルにおける、付属装置を支えるための取付台であって、
前記第１縁部によって支えられるようになっている第１リップと、
前記第２縁部によって支えられるようになっている第２リップと、
前記第１リップを前記第２リップに連結する横断部材と、
を含み、
前記取付台は前記第１及び第２リップによって支えられて、前記テーブルに沿って動かすことができる、
ことを特徴とする取付台。
【請求項２】
前記横断部材が、前記下面の下方を通るようになっていることを特徴とする、請求項１に記載の取付台。
【請求項３】
前記第１縁部が、第１横方向面と、該第１横方向面に第１接合部にて結合された第１垂下面とを含み、前記第２縁部が、第２横方向面と、該第２横方向面に第２接合部にて結合された第２垂下面とを含み、前記第１リップが前記第１横方向面により支えられるようになっており、前記第２リップが前記第２横方向面により支えられるようになっていることを特徴とする、請求項１に記載の取付台。
【請求項４】
前記取付台が、前記第１リップを前記横断部材に結合する第１部材と、前記第２リップを前記横断部材に結合する第２部材とを更に含むことを特徴とする、請求項３に記載の取付台。
【請求項５】
前記第１部材に連結された第１付属装置レールと、前記第２部材に連結された第２付属装置レールとを更に含むことを特徴とする、請求項４に記載の取付台。
【請求項６】
前記取付台がねじり荷重を支持することができるように、前記第１部材が、前記第１垂下面と協働して前記取付台の第１の横方向への移動を制限するようになっており、前記第２部材が、前記第２垂下面と協働して前記取付台の前記第１の方向とは反対方向の第２の横方向への移動を制限するようになっている、ことを特徴とする、請求項４に記載の取付台。
【請求項７】
前記横断部材が、前記テーブルの前記下面から所定の間隙だけ変位した中央部分と、前記下面から前記所定の間隙よりも小さい第２の間隙だけ離れた第１側方部分と、前記下面から前記所定の間隙よりも小さい第２の間隙だけ離れた第２側方部分とを有する上面を定めていることを特徴とする、請求項６に記載の取付台。
【請求項８】
前記第１リップが、第１の平面を定める下面を含み、前記第１部材が、前記第１垂下面に近接して置かれるようになっている第１結合面を含み、該第１結合面が、前記第１の平面と第１の鋭角をなす第２の平面を定めていることを特徴とする、請求項６に記載の取付台。
【請求項９】
前記第２リップが、第３の平面を定める下面を含み、前記第２部材が、前記第２垂下面に近接して置かれるようになっている第２結合面を含み、該第２結合面が、前記第３の平面と第２の鋭角をなす第４の平面を定めることを特徴とする、請求項８に記載の取付台。
【請求項１０】
前記第１及び第３の平面が同一平面であることを特徴とする、請求項９に記載の取付台。
【請求項１１】
前記第１及び第２の鋭角が等しいことを特徴とする、請求項９に記載の取付台。
【請求項１２】
前記横断部材が、前記テーブルの下面に対して片持ち支持されていることを特徴とする、請求項１に記載の取付台。
【請求項１３】
前記第１及び第２リップのうちの１つに近接する第１フランジを更に含むことを特徴とする、請求項１に記載の取付台。
【請求項１４】
前記第１フランジ上に可動に取り付けられた肘掛板を更に含むことを特徴とする、請求項１３に記載の取付台。
【請求項１５】
前記肘掛板が、前記第１フランジ上に旋回自在に取り付けられていることを特徴とする、請求項１４に記載の取付台。
【請求項１６】
前記第１フランジが前記第１リップに近接しており、前記取付台が前記第２リップに近接する第２フランジを更に含むことを特徴とする、請求項１３に記載の取付台。
【請求項１７】
前記第１フランジ上に可動に取り付けられた第１肘掛板と、前記第２フランジ上に可動に取り付けられた第２肘掛板とを更に含むことを特徴とする、請求項１６に記載の取付台。
【請求項１８】
前記第１肘掛板が前記第１フランジ上に旋回自在に取り付けられ、前記第２肘掛板が前記第２フランジ上に旋回自在に取り付けられていることを特徴とする、請求項１７に記載の取付台。
【請求項１９】
患者を支えるための中心部分と、該中心部分の第１の側方に位置する第１部分と、該中心部分の前記第１の側方と反対側の第２の側方に位置する第２部分とを備えるパッドを更に含み、該パッド上に患者が横たわっている時に前記取付台をテーブル上に置くことができるように、前記第１リップが前記第１部分の少なくとも一部の下方に嵌合するようになっており、前記第２リップが前記第２部分の少なくとも一部の下方に嵌合するようになっていることを特徴とする、請求項１に記載の取付台。
【発明の詳細な説明】
【０００１】
【発明の属する技術分野】
本発明は、撮影テーブルのための取付台に関し、より具体的には、付属装置レール、肘掛板などの様々な付属部品及び周辺機器に対応することができる取付台に関する。
【０００２】
【発明の背景】
撮影テーブルに付属部品を接合することは、幾つかの要件を満たしていなくてはならず、また同様に数多くの望ましい特徴がある。撮影テーブルは一般的には炭素繊維及びその他の複合材料で作られており、取り付けが困難であるから、その要求を満たすことは容易でない。
【０００３】
要求とは次のような事項である。
【０００４】
取付台は、散乱が低くなくてはならない。
【０００５】
取付台は、放射線透過性でなくてはならない。
【０００６】
取付台は、十分な強度を持たねばならない。
【０００７】
取付台は、取り付け及び取り外しが容易でなくてはならない。
【０００８】
取付台は、その滅菌が容易でなくてはならない。
【０００９】
これらの要求に加えて、その取付方法が次のような特徴をも有することが望ましい。
【００１０】
取付台は、軽量でなくてはならない。
【００１１】
取付台は、患者が撮影位置にある時、患者を妨げることなく、短時間で取り付け、取り外し可能でなくてはならない。
【００１２】
取付台は、テーブルの安楽パッドに干渉することなく、取り付け可能でなくてはならない。
【００１３】
現存の取付台は、様々な固定具式か、あるいは周囲を囲われた差込式箱形のものかのいずれかである。本発明は、差込式ではあるが、箱形設計に付随した問題点を持たない開放型設計を使用する。下表は、本発明の好ましい実施形態を含む様々な解決法を比較した表である。
【００１４】
【表１】
2004510532.tif 000003
【００１５】
要するに、本発明の好ましい実施形態は、先行技術による周知の取付台のもつ問題点に対処し、その解決策を提供するものである。
【００１６】
【課題を解決するための手段】
本発明の好ましい実施形態は、上面と下面と第１縁部と第２縁部とを含む医用テーブルにおいて有用である。かかる環境において、好ましい実施形態は、付属装置を支えるための取付台を提供し、該取付台は、
第１縁部によって支えられるようになっている第１リップと、
第２縁部によって支えられるようになっている第２リップと、
第１リップを第２リップに連結する横断部材と、を含み、
取付台は第１及び第２リップによって支えられて、テーブルに沿って動かすことができる。
【００１７】
上記の特徴を備えた取付台を使用することにより、前掲の表に記した全ての利点を実現することができる。それに加えて、本発明の好ましい実施形態は、医用撮影の様々な操作のために、撮影テーブルを使用する医者や医療技師にとって大いに役立つ。事実かかる操作は全て、これを成功裏に完了するためには、テーブルに取り付けられた付属（又は周辺）装置を必要とする。好ましい実施形態は、上述したように、現存する設計よりも優れている。更に、好ましい実施形態は、患者の快適性を改善し、撮影中の緊急時に周辺機器へのアクセスを容易にし、患者や医療関係者の放射線被曝を減少させ、かつ処置後の清掃に要する時間を短縮する。
【００１８】
【発明の実施の形態】
図面を参照すると、本発明の好ましい形態は、医用テーブル２０と関連させた場合に有用であり、ここで言う医用テーブルとは、コンピュータ断層（ＣＴ）撮影法、磁気共鳴（ＭＲ）撮影法、超音波撮影法、Ｘ線撮影法等のために使用されるテーブルのような介入撮影テーブルである。テーブル２０は、上面２２と下面２４とを含む。テーブル２０の縁部２６は、横方向面２８と垂下面３０とを含み、これらの面は接合部３２で結合されている。テーブル２０の縁部３６は、横方向面３８と垂下面４０とを含み、これらの面は接合部４２で結合されている。
【００１９】
取付台５０は、平面Ｐ１を定める下面５４を有するリップ５２を含む。取付台５０はまた、平面Ｐ２を定める結合面６２を有する側方部材６０を含む。平面Ｐ１は、平面Ｐ２に対して鋭角Ａ１をなす。リップ５２は、横方向面２８によって支えられる。
【００２０】
取付台５０はまた、平面Ｐ３を定める下面７４を有するリップ７２を含む。取付台５０はまた、平面Ｐ４を定める結合面８２を有する側方部材８０を含む。平面Ｐ３は、平面Ｐ４に対して鋭角Ａ２をなし、鋭角Ａ２は鋭角Ａ１と等しい。平面Ｐ１は、平面Ｐ３と同一平面である。リップ７２は、横方向面３８によって支えられる。
【００２１】
取付台５０はまた、テーブル２０の下面２４に対して片持ち支持された横断部材９０を含む。横断部材９０は、上面９２と下面９４とを有する。面９２は、中心線Ｃ１（図１）付近で所定の約０．２５インチの間隙だけ、面２４から離れている。図４を参照すると、取付台５０の左側部分において、面２４は所定の間隙より小さい間隙Ｇ２だけ、面９２から離れている。点ＰＴ２においては、面２４と面９２との間の間隙はほぼゼロである。図５を参照すると、取付台５０の右側部分において、面２４は所定の間隙より小さい間隙Ｇ３だけ、面９２から離れている。点ＰＴ３においては、面２４と面９２との間の間隙はほぼゼロである。面９２は、面２４に対して角度Ａ３をなす。
【００２２】
図１を参照すると、部材６０及び８０は、それらが横断部材９０と結合される領域に近づくにつれて厚くなる。図３を参照すると、部材６０及び８０は、平行な壁を有する。本発明の目的は、これらいずれの形状を用いても実現できる。
【００２３】
図２を参照すると、取付台５０はスペーサ１０２及び１０４により付属装置レール１００に結合される。付属装置レール１０６は、スペーサ１０８及び１１０により取付台５０に結合される。
【００２４】
図３を参照すると、部材８０と一体的にフランジ１１２が形成されている。フランジ１１２上には、肘掛板１１４が旋回ピン１１６により旋回自在に取り付けられる。
【００２５】
図６を参照すると、部材６０と一体的にフランジ１２０が形成されている。フランジ１２０上には、肘掛板１２２が旋回ピン１２４により旋回自在に取り付けられる。
【００２６】
パッド１３０がテーブル２０の面２２上に置かれる。患者Ｐはパッド上の中心部分ＣＰに位置する。取付台５０は、患者がパッド１３０上に横たわっている時、患者を移動させることなく、取付台をテーブル２０の縁部２６及び３６上で摺動させることできるように構成されている。リップ５２及び７２は、図４及び図５に示すように、パッド１３０の縁部の下方で摺動する。取付台５０は、患者を移動させることなく、いずれの方向Ｄ３又はＤ４にも動かすことができる。より具体的には、リップ５２は側方部分Ｓ１の下方で摺動し、リップ７２は側方部分Ｓ２の下方で摺動する。面３０と面６２との間を狭い間隙とすることにより、テーブル２０に対する取付台５０の横方向Ｄ１への移動を阻止する。面４０と面８２との間を狭い間隙とすることにより、テーブル２０に対する取付台５０の横方向Ｄ２への移動を阻止する。方向Ｄ１は方向Ｄ２の反対方向である。上記ような間隙にすることはまた、取付台５０がテーブル２０に対するねじり荷重を支持することを可能にする。
【００２７】
横断部材９０は、機械的応力に対処できるように設計されている。単一の横断部材は、手袋をはめた手で取付台を拭けないような微小部分を全く含まないので、取付台５０を清掃し滅菌する能力を高める。開放型設計はまた、患者が荷重をかけることのないテーブルパッド縁部にだけでなく、テーブルパッド下方のテーブル５０上にも、装置を取り付けることを可能にし、患者が横たわっている場合でも、その取り付け／取り外しを容易にする。
【００２８】
テーブルの形状（例えば面３０及び４０）と関係し合う干渉接合部（例えば部材６０及び８０）を使用することにより、更に強度が増す。その強度能力は現存の様々な設計を越えるレベルであり、これまで実用し得なかった新しいテーブル周辺機器（テーブル上注射器など）の使用を可能にする。取付台は複合材料で製造され、強度が大きく、軽量で、放射線透過性を増大させ、Ｘ線の散乱を低減させた取付台が得られる。
【００２９】
以上に述べた好ましい実施形態が、添付の特許請求の範囲に記載したような本発明の技術思想及び技術的範囲から逸脱することなく、変形及び変更できることは、当業者には明らかであろう。
【図面の簡単な説明】
【図１】付属装置レールを用いた、本発明に従って作られた好ましい形態の取付台の斜視図。
【図２】医用テーブル上に取り付けられた、図１に示す取付台の平面図。
【図３】肘掛板を用いた、本発明に従って作られた別の形態の取付台の斜視図。
【図４】図２に示すテーブル上に取り付けられた、図３に示す取付台の左側部分の部分断面図。
【図５】図２に示すテーブル上に取り付けられた、図３に示す取付台の右側部分をフランジ１１２を取り除いて示した部分断面図。
【図６】２つの肘掛板を用いた、本発明に従って作られた別の形態の取付台の斜視図。
【符号の説明】
５０　取付台
５２　リップ
６０　側方部材
７２　リップ
８０　側方部材
９０　横断部材
Ｃ１　中心線Ｃ１
【国際公開パンフレット】
2004510532.tif 000004
2004510532.tif 000005
2004510532.tif 000006
2004510532.tif 000007
2004510532.tif 000008
2004510532.tif 000009
2004510532.tif 000010
2004510532.tif 000011
2004510532.tif 000012
2004510532.tif 000013
2004510532.tif 000014
2004510532.tif 000015
2004510532.tif 000016
2004510532.tif 000017
【国際公開パンフレット（コレクトバージョン）】
2004510532.tif 000018
【国際公開パンフレット（コレクトバージョン）】
2004510532.tif 000019
【国際調査報告】
2004510532.tif 000020
2004510532.tif 000021
2004510532.tif 000022
2004510532.tif 000023